(57)【特許請求の範囲】
【請求項１】
無線システムにおける、順方向リンク信号の集合を有する基地局（２００）によって送信される信号の電力レベルを制御する方法であって、
該順方向リンク信号の集合の電力レベルの測定値を得るステップと、
該電力レベルの測定値に応じて該信号の集合の電力レベルを調節するステップと、を含み
該電力レベルの測定値を得るステップは、
予め定められた特定の期間について該信号の集合の電力レベル（Ｐ［ｎ］）を得るステップと、
該予め定められた特定の期間についてパイロットの電力レベルを得るステップと、
該予め定められた特定の期間について平均パイロット比（ａｖＰＦ［ｎ］）を決定するステップとを含み、
該電力レベルを調節するステップは、
該平均パイロット比（ａｖＰＦ［ｎ］）に基づいてスケーリング・ファクタを決定するステップと、
該スケーリング・ファクタを使用して該信号の集合の電力レベルを伸縮させるステップとを含むことを特徴とする方法。
【請求項２】
前記電力レベルの測定値は、パイロット比および前記信号の集合の電力レベルのうちの少なくとも一方であることを特徴とする請求項１記載の方法。
【請求項３】
前記信号の集合は、基地局を含む各セルの各セクタにおける全ての信号を含むことを特徴とする請求項１記載の方法。
【請求項４】
前記該予め定められた特定の期間についての前記平均パイロット比（ａｖＰＦ［ｎ］）は、前記該予め定められた特定の期間に関する前記パイロットの電力レベルの前記信号の集合の電力レベルに対する比率と、以前の期間に関する平均パイロット比（ａｖＰＦ［ｎ−１］）とに基づくことを特徴とする請求項１に記載の方法。
【請求項５】
前記スケーリング・ファクタを決定するステップは、前記パイロット比を前記スケーリング・ファクタに関連づけるルックアップ・テーブルにおいて前記スケーリング・ファクタを捜すことを含むことを特徴とする請求項１に記載の方法。
【請求項６】
前記該予め定められた特定の期間はフレームを含むことを特徴とする請求項１記載の方法。
【請求項７】
前記電力レベルを伸縮させるステップは、前記スケーリング・ファクタを使用して後続する期間中の前記信号の集合の前記電力レベルを伸縮させることを含むことを特徴とする請求項１に記載の方法。
【請求項８】
前記電力レベルを伸縮させるステップは、前記スケーリング・ファクタを使用して前記該予め定められた特定の期間中の前記信号の集合の前記電力レベルを伸縮させることを含むことを特徴とする請求項１に記載の方法。
【発明の詳細な説明】
【０００１】
【発明の属する技術分野】
本願と同じ譲受人に譲渡された次の出願において、関連した主題が開示されている。ＣＩＰ５３Ｂ、米国出願第０９／３８５，３０５号を選択して現在放棄されている米国特許出願第０９／３５６，８２５号「Aggregate Overload Power Control」および、米国特許出願第０９／３５６，８１６号「Overload Control Utilizing Call Blocking」。
本発明は一般的に無線通信システムに関し、特に、無線通信システムにおける順方向リンクの出力に関する。
【０００２】
【従来の技術】
無線通信システムは、多数のシステム・ユーザが互いに通信することを可能にするために、符号分割多重アクセス（「ＣＤＭＡ」）変調技術を採用している。係るシステムが機能する能力は、各信号が、擬似ランダム雑音（「ＰＮ」）シーケンスおよび、ウォルシュ符号などの直交拡散シーケンスなどの拡散シーケンスで符号化されているという事実に基づいている。この符号化は、受信機における信号分割と信号再構成を可能にしている。典型的なＣＤＭＡシステムにおいては、各チャンネル毎に異なった拡散シーケンスを使用することにより、通信が達成される。このことは、複数の送信信号が同じ帯域幅を共有することにつながる。特定の送信信号は、送信機で実施された拡散シーケンスに関連する、知られたユーザ拡散解除シーケンスを使用することによって、全ての信号から１つの信号を拡散解除することにより、通信チャンネルから検索される。
【０００３】
図１は、ＣＤＭＡシステム１０を図示している。ＣＤＭＡシステム１０のサービスが及ぶ地理的区域は、「セル」と呼ばれる空間的に区別される区域に分割される。セル２、４、６は蜂の巣状の六角形として図示してあるが、各セルは実際には、セルを囲む地域の平面形状に左右される不定形である。各セル２、４、６は、それぞれ１つの基地局１２、１４、１６を含む。各基地局１２、１４、１６は移動交換センター（「ＭＳＣ」）１８と通信する機器を含み、これは公衆交換電話ネットワーク（ＰＳＴＮ）などの市内および／または長距離送信ネットワーク２０に接続されている。各基地局１２、１４、１６は、その基地局が移動端末２２、２４と通信するのに使用する無線およびアンテナも含む。
【０００４】
ＣＤＭＡシステムにおいて通話が確立されると、基地局および移動端末は順方向リンクおよび逆方向リンク上で通信する。順方向リンクは、基地局から移動端末に信号を送信するための通信チャンネルを含み、逆方向リンクは、移動端末から基地局に信号を送信する通信チャンネルを含む。基地局は、本明細書中では順方向制御チャンネルと呼び、当該事業分野においては順方向管理チャンネルとして知られている通信チャンネル上で、特定種類の制御情報を移動端末に送信する。順方向制御チャンネルは、パイロット・チャンネル、ページング・チャンネルおよび同期チャンネルならびに、他の制御チャンネルを含む。基地局は、本明細書中では順方向トラフィック・チャンネルと呼んでいる通信チャンネル上で、音声またはデータおよび特定種類の制御情報を送信する。通信チャンネル上の信号は、本明細書中ではフレームと呼んでいる時間枠で整理されている。フレームは通常、２０ミリセカンド（ｍｓ）の長さである。制御チャンネル上で送信される信号は、本明細書中では制御信号と呼んでおり、トラフィック・チャンネル上で送信される信号は本明細書中ではトラフィック信号と呼んでいる。
【０００５】
【発明が解決しようとする課題】
セルへの通話が増えると、そのセル内の雑音およびそれを囲むセルにおける雑音が増加する。特定のセル４において多数の通話がなされていると、特に移動端末２４がセルの端にある場合には、パイロット信号および／または順方向リンク・トラフィック信号を移動端末２４がはっきり受け取ることは困難になる。移動端末２４がはっきりとした連続的なパイロット信号および／または順方向リンク・トラフィック信号を受け取ることができないときには、移動端末２４と基地局１４との間の通話に問題が発生しうる。これらの問題は、フレームの故障につながるフレームの拡散解除の不能から、ユーザの不便につながるような、移動端末２４のユーザには送信されている音声またはデータではなく雑音または無音が聞こえるという問題まで様々である。移動端末２４が数秒間など長時間に亘ってはっきりした連続的なパイロット信号および／または順方向リンク・トラフィック信号を受け取ることができない場合には、通話が中断されることもあり、ユーザの不便や売り上げの損失につながる。
【０００６】
セル４にかかる通話の負荷が重いときには、基地局１４の機器はセル内の通話の全てを処理できないこともある。このような事態は、基地局によって送信される出力が、基地局の機器が長時間に亘って動作するように設計された出力レベルを越えたときに発生する。無線通信システム１０の中には、多くの通話が行われているときに、基地局１４が過負荷制御を開始するのもある。基地局１４は、いくつかの矯正手段の１つを使用することにより、過負荷制御を実施する。これらの矯正手段は通常、ａ）本明細書中では通話ブロックと呼んでいる、あらゆる新たな通話要求へのアクセスを拒否すること、ｂ）送信信号をその現在レベルに制限することまたは、ｃ）送信信号を切ることさえも含む。発明者は、他のセル２および６が新たな通話を受け入れられると思われるときでさえ、このような事態が発生しうることを発見した。この状況は、無線通信システム１０全体の能力の損失につながる。
【０００７】
【課題を解決するための手段】
本発明は、基地局の一組の順方向リンク信号の出力レベルを、その信号の組の出力レベル計測によって判断されるように、順方向リンクの負荷に応じて調節することにより上記の問題を解決する。信号の組の出力レベルは、その組における順方向リンク信号それぞれの個々の出力制御からは独立して調節する。信号の組の出力レベルを調節することは、順方向リンクの負荷が低いときには、基地局を含むセルが成長する、すなわち、より広い地域を対象とすることを可能にする。このことは、負荷が軽いセルが、そうでなければ負荷が重いセルに地理的に制約されていたであろう移動端末からの通話を受け入れ、それによって負荷がより重いセルの負荷を軽減することを可能にしている。このことはまた、セルの端にある移動端末が、信号をもっとはっきりと受信することを可能にする。
【０００８】
出力レベル計測の１つは、順方向リンクのパイロット比であり、これはパイロットの出力レベルの順方向リンク信号の出力レベルに対する比率である。信号の組の出力レベルを調節するために、順方向リンクのパイロット比の代わりにまたはそれに加えて、単独または組み合わせで、信号の組の出力レベルなど他の出力レベルの計測を使用することができる。いくつかの計測値を使って信号の組の出力レベルを調節することには、出力レベル計測値の何れかに基づいて信号の組の出力レベルをどのように調節すべきかを決定することおよび、計測値の何れか１つが出力レベルを調節すべきであることを示しているときに、信号の組の出力レベルを調節することが関係する。代替的に、計測値のいくつかが出力レベルを調節すべきであることを示しているときに出力レベルを調節できる。
【０００９】
信号の組の出力レベルは、スケーリング・ファクタによってスケーリングすることまたは、固定量または可変量によって出力レベルを上げることを含め、あらゆる方法で変更できる。信号の組の出力レベル計測は、現行の期間中に得る。それに続く期間に使用されるスケーリング・ファクタは、その出力レベル計測値を使って決定する。本発明の一実施形態においては、スケーリング・ファクタは、出力レベル計測値に基づいているルックアップ・テーブルから得ることができる。
【００１０】
基地局を含むセルがいくつかのセクタを含んでいる場合には、セクタにおける信号の組の出力レベルは、そのセクタにおける出力レベル計測値が出力レベルを調節すべきであることを示したときに調節する。
【００１１】
【発明実施の形態】
図２は、基地局の順方向リンク信号の組の出力レベルを、順方向リンクの出力レベル計測値によって決定されるように順方向リンクの負荷に呼応して調節する、基地局２００の部分を示している。基地局２００において使用される出力レベル計測値は、順方向リンクのパイロット比であり、これはパイロットの出力レベルの、基地局２００の順方向リンク信号の組の出力レベルに対する比率である。
【００１２】
図示した実施形態においては、基地局２００は信号の組の出力レベルを調節するためにパイロット比を使用しているが、信号の組の出力レベルを調節するためには、順方向リンクのパイロット比の代わりにまたはそれに加えて、単独または組み合わせで、他の出力レベル計測値を使用することができる。例えば、出力レベル計測値は、信号の組の出力レベルでありうる。
【００１３】
基地局の信号のそれぞれは、チャンネル要素２１０、２２０の１つの出力である。チャンネル要素は拡散符号でデータを符号化する。制御信号は、制御チャンネルのチャンネル要素２１０の出力であり、トラフィック信号はトラフィックチャンネルのチャンネル要素２２０の出力である。チャンネル要素２１０および２２０全ての出力は結合器２３０に接続されており、そこで、信号の全ては共に結合されて、結合ベースバンド信号を形成する。信号はフレームに編成されるが、これは上記のように、通常は２０ミリセカンド（ｍｓ）の時間である。結合ベースバンド信号の瞬間信号レベルは現在のフレーム全体に渡って計測され、サンプル自乗積分回路２４０において平均を取られる。この平均を取られた出力レベルを、本明細書中では、現在のフレームに関する結合ベースバンド信号の出力レベルと呼んでいる。パイロットの瞬間信号レベルも、現在のフレーム全体に渡って計測され、サンプル自乗積分回路２５０において平均を取られる。この平均を取られた出力レベルを、本明細書中では、現在のフレームに関するパイロットの出力レベルと呼んでいる。結合ベースバンド信号の出力レベルと、現在のフレームに関するパイロットの出力レベルは、第１の平均化要素２６０の入力である。
【００１４】
第１の平均化要素２６０は、本明細書中では現在のフレームのパイロット比ＰＦ［ｎ］と呼んでいる、パイロットの出力レベルの結合ベースバンド信号の出力レベルに対する現在のフレームの比率を決定する。第１の平均化要素２６０は、単一の磁極無限長インパルス応答（ＩＩＲ）フィルタを使用して、平均パイロット比ａｖＰＦ［ｎ］を決定する。ＩＩＲフィルタの機能性は、式１において説明している。式１に示したように、平均パイロット比ａｖＰＦ［ｎ］の値は、λによってスケーリングされた現在のフレームのパイロット比ＰＦ［ｎ］と、λに基づいて調節係数によってスケーリングされた以前のフレームの平均パイロット比ａｖＰＦ［ｎ］とに基づいている。λは、平均パイロット比ａｖＰＦ［ｎ］が現在のフレームＰＦ［ｎ］のパイロット比の変化に呼応してどれほど早く変化するかを制御する。λは、現在のフレームのパイロット比をできるだけ反映するパイロット比を入手する希望と、円滑に変化する出力レベルを持つ希望とを均衡させるように選択される。λに関する典型的な値は、約２から２００の間にありうる。
【数１】
0003960743.tif 000002
【００１５】
第１の平均化要素２６０は、現在の平均パイロット比ａｖＰＦ［ｎ］をコントローラ２７０に提供する。コントローラ２７０は、メモリ２８０からルックアップ・テーブルを入手する。ルックアップ・テーブルは、平均パイロット比ａｖＰＦ［ｎ］をスケーリング・ファクタｇ［ｎ＋１］に関連させる。表１は、使用できるルックアップ・テーブルの例である。コントローラ２７０は、平均パイロット比ａｖＰＦ［ｎ］が最も近いルックアップ・テーブルにある値を決定することにより、ルックアップ・テーブルからスケーリング・ファクタｇ［ｎ＋１］を入手する。パイロット比が表に掲載された２つの値のちょうど中間にあるときには、スケーリング・ファクタｇ［ｎ＋１］は、より大きいかより小さい値と関連するものの何れかになるように選択することができるが、基地局２００が増幅器を最大限に働かせることなく必要な出力レベルを作り出せることを確実にするために、より小さい値を選ぶことが好ましい。
【表１】
0003960743.tif 000003
【００１６】
ルックアップ・テーブルのスケーリング・ファクタは、基地局２００の機器に負荷を掛け過ぎることなくシステムの能力を最大化するように、信号の組の出力レベルを調節するために選択する。１つの出力レベルのスケーリング・ファクタは、全負荷パイロット比と関連づけられていることが好ましく、これは基地局に全負荷が掛かっているときのパイロット比である。この全負荷パイロット比は、基地局が、その基地局に収容されている移動体局のすべてと通信を行っているときのパイロット比を意味する。通常、全負荷パイロット比は.１から.２５の間である。また、最大スケーリング・ファクタは無負荷でのパイロット比と関連づけられていることが好ましい。無負荷では、基地局は通常パイロット、ページおよび同期チャンネルを送信している。無負荷でのパイロット比は、パイロットの出力レベルの、パイロット、ページング・チャンネルおよび同期チャンネルの出力レベルの合計に対する比率である。無負荷でのパイロット比は通常、約.７８である。
【００１７】
信号の組の出力レベルが、信号の組の出力レベルを上昇させるスケーリング・ファクタによってスケーリングされるときには、通常、順方向リンクの及ぶ基地局２００の地域も増大する。これは、信号の組の出力レベルがスケーリングされた後に、信号が、以前には届くことができないこともあった移動端末に届くことができる場合もあることを意味する。しかし、順方向リンクトラフィック信号は、パイロットが届かない移動端末に届く必要はない。これは、移動端末がパイロットを受信していないのであれば、基地局２００と通信できず、したがって、移動端末が信号を受信する利点がないためである。したがって、順方向リンクの及ぶ地域は、地域の端にある移動端末がパイロットを受信できる地域を越えないことが好ましい。
【００１８】
コントローラ２７０がスケーリング・ファクタｇ［ｎ＋１］を得た後に、コントローラ２７０は、スケーリング・ファクタを乗算器２９０の入力として提供する。乗算器２９０の他の入力は、結合ベースバンド信号であり、これは結合器２３０の出力である。乗算器２９０は、次のフレームの間に信号の組の出力レベＰ［ｎ＋１］をスケーリングするために、結合ベースバンド信号とスケーリング・ファクタｇ［ｎ＋１］を乗算する。信号の組の出力レベルは、最後のフレームの平均パイロット比ａｖＰＦ［ｎ］を使って得られるスケーリング・ファクタｇ［ｎ＋１］によってスケーリングされる。しかし、パイロット比を使ってスケーリング・ファクタを得るフレームと、出力レベルがスケーリング・ファクタによってスケーリングされるフレームとの間の遅延は、第１の平均化要素２６０およびコントローラ２７０の速度に基づいてより多くもより小さくもすることができる。例えば、第１の平均化要素２６０とコントローラ２７０の回路が十分に速い場合、あるいは、スケーリング・ファクタが得られるまで信号を遅らせることができる場合には、出力レベルＰ［ｎ］は、現在のフレームの平均パイロット比ａｖＰＦ［ｎ］を使って得たスケーリング・ファクタｇ［ｎ］によってスケーリングできる。信号は、結合器２３０と乗算器２９０との間にパイプライン遅延を付加することにより遅らせることができる。
【００１９】
乗算器２９０は、スケーリング・ファクタと次のフレームを形成する結合ベースバンド信号とを乗算し、それによって同じ量だけ全ての信号の出力レベルＰ［ｎ＋１］をスケーリングする。その結果は次に変調器３００に入力され、そこで信号はわずかに増幅されてキャリア信号に変調される。変調された信号は増幅器３１０で増幅されてから、アンテナ３２０を介して移動端末に送信される。
【００２０】
本実施形態においては、パイロット比はスケーリング・ファクタを得るために使用される出力レベル計測値であるが、代替的な実施形態においては、スケーリング・ファクタを得るために、順方向リンクのパイロット比の代わりにまたはそれに加えて、単独または組み合わせで、信号の組の出力レベルなどの他の出力レベル計測値を使用することができる。したがって、上記と同様のルックアップ・テーブルを、他の出力レベル計測のために入手することができる。他の出力レベル計測値の１つを使ってスケーリング・ファクタを決定することは、パイロット比に関するのと同様な方法で行う。
【００２１】
更に、本実施形態においては、ルックアップ・テーブルを使ってスケーリング・ファクタを得ているが、代替的な実施形態においては、スケーリング・ファクタは他の方法でも得ることができる。
【００２２】
上記の信号の組の出力レベルの調節は、トラフィック信号それぞれに関する従来の個々の出力制御からは独立して行われる。したがって、移動端末がトラフィック信号を受信すると、ＩＳ−９５準拠のＣＤＭＡシステムにおいては、移動端末は受信した順方向リンクのトラフィック・フレームに故障があるかどうかを調べて判断する。移動端末が送信する次の逆方向リンクトラフィック・フレームにおいては、移動端末は故障があるかどうかを基地局２００に通知する。移動端末がトラフィック信号を受信すると、ＣＤＭＡ２０００システムにおいて、移動端末は、通常は順方向リンクのトラフィック信号の信号対雑音の比率を調べることにより、受信した順方向リンクのトラフィック信号がシステムの雑音を克服するのに十分な信号の出力を有しているかどうかを調べて判断する。移動端末は次に、順方向リンクのトラフィック信号の出力が十分であるかどうかを基地局２００に通知する。移動端末から、故障があるかどうか（ＩＳ−９５準拠のＣＤＭＡシステムにおいて）または、順方向リンクのトラフィック信号の出力が十分であるかどうか（ＣＤＭＡ２０００システムにおいて）の情報を受信すると、基地局２００は、この移動端末へのその順方向リンクがフェーディングにあるかどうかを判断する。基地局２００は次に、それに応じて、結合器２３０において信号が合算される前に、移動端末への信号の出力レベルを調節する。信号それぞれの個々の出力制御は、信号の出力レベルが越えることを許容されていない最大出力レベルを含む。信号の出力レベルがこの最大出力レベルにあり、このトラフィック信号を受信する移動端末が基地局に、この信号の出力レベルを上げるように通知した場合には、基地局はこのトラフィック信号の電力レベルをそれを越えては上げない。最大出力レベルによって、どの信号も大幅に不均衡な出力量を使用していないことが確実になる。
【００２３】
基地局２００が移動端末への信号の出力レベルを調節した後に、信号は他のトラフィック・チャンネルからの信号と結合されて、必要であればスケーリングされる。
【００２４】
信号の組の出力レベル計測に基づいて信号の組の出力レベルを調節する方法は、過負荷制御の方法と共に使用することができる。例えば、信号の組の出力レベルを調節する方法は、本明細書中に参照することにより含めた米国特許出願第０９／３８５，３０５号「Aggregate Overload Power Control」に開示された過負荷出力制御方法と共に使用することができる。この過負荷出力制御方法は、信号の組における順方向リンク信号それぞれの個々の出力制御からは独立して、増幅器の最大継続出力レベルに基づく過負荷制御限界出力レベルに応じて、順方向リンク信号の組の出力レベルを変更する。信号の組の出力レベルは、スケーリング・ファクタによってそれをスケーリングすることにより変更する。信号の組の総出力レベルを現在の期間中に得て、次の期間において使用されるスケーリング・ファクタを決定する。スケーリング・ファクタは、現在の期間の信号の組の総出力レベル、現在の期間中に使用するスケーリング・ファクタおよび過負荷制御限界出力レベルに基づくことが好ましい。総出力レベルが増幅器の最大継続出力レベルを越える量は、過負荷の量である。スケーリング・ファクタは、各期間毎に過負荷の量がパーセンテージまたは固定率ずつ削減されるように選択する。例えば、過負荷の量は現在の期間について３％削減することができ、そのパーセンテージは、現在の期間のスケーリング・ファクタおよびそれに続く休止期間の過負荷の量に基づいて、次の期間について変えることができる。
【００２５】
更に、信号の組の出力レベルを調節する方法は、参照することによって本明細書中に含めた米国特許出願第０９／３５６，８１６号「Overload Control Call Blocking」において開示された通信ブロッキングを開始する方法と共に使用できる。この方法は、順方向リンクの通話品質計測に応じて通話ブロッキングを開始する。通話品質計測は、移動端末がどれほど良好に順方向リンクを受信できるかの計測である。１つの通話品質計測は、順方向リンクのパイロット比である。通話ブロッキングは、平均パイロット比がパイロット比ブロッキング限界値未満であるときに開始できる。パイロット比は期間について決定し、その期間の平均パイロット比を決定するために使用する。現在の期間に関する平均パイロット比は、現在の時間に関するパイロット比と以前の時期に関する平均パイロット比とに基づく。平均パイロット比がパイロット比ブロッキング限界値未満であると、通話ブロッキングを開始する。パイロット比ブロッキング限界値は、１）基地局が全負荷であるときのパイロット比、２）セルの大きさ、形状および地域ならびに、３）過負荷制御の積極性に基づくことが好ましい。好適な実施形態においては、信号の組は、基地局によって発生された全ての信号を含むか、あるいは基地局によって発生された全ての信号よりも少ない信号を含むことができる。例えば、信号の組は、複数のトラフィック信号または、複数のトラフィック信号と１つまたは複数の制御信号を含むことができる。セルがいくつかのセクタを含む場合には、通話ブロッキングは、セクタの平均パイロット比がパイロット比ブロッキング限界値未満であるときに、セクタ毎に開始される。
【００２６】
上記は単なる説明である。したがって、例えば、この例示的実施形態においては期間は１つのフレームであるが、あらゆる期間を、順方向リンクの出力レベル計測を行うことができる期間として使用することができる。例えば、期間は、１／１６のフレームの長さを有する期間である、いくつかのフレームあるいは、１つまたはいくつかの出力制御グループとすることができる。
【００２７】
更に、この例示的実施形態においては、基地局を含むセルのセクタにおける全ての信号がスケーリング・ファクタによってスケーリングされるが、代替的な実施形態においては、セクタにおける全ての信号よりも少ない信号をスケーリング・ファクタによってスケーリングできる。例えば、信号の組は、複数のトラフィック信号あるいは、複数のトラフィック信号と１つまたは複数の制御信号を含むことができる。
【００２８】
更に、この例示的実施形態においては、方法はハードウエアにおいて実施するが、ソフトウエアにおいて実施することもできる。
【００２９】
また、この例示的実施形態においては、各セルは全セクタセルであるが、セルは、各セクタが独自のチャンネル要素や、変調器および増幅器ならびにアンテナを含むラジオ受信機を有する複数のセクタに分割することもできる。この場合には、出力レベル計測はセクタ毎に行い、スケーリング・ファクタを得るのに使用する。セクタにおける信号の組の出力レベルは、セルのそのセクタにおける出力レベル計測が、出力レベルを調節すべきであることを示したときに調節する。
【００３０】
更に、例示的実施形態の１つにおいては、現在の時期に関する平均パイロット比はＩＩＲフィルタを使って決定される。代替的実施形態においては、有限長インパルス応答（ＦＩＲ）フィルタを使用しても平均パイロット比を判断できる。ＦＩＲフィルタは、現在の期間に関するパイロット比および、複数のフレームに亘って平均化される複数のフレームのパイロット比を使用する。
【００３１】
また、この例示的実施形態においては、チャンネル要素は平行に示されており、その結果得られる信号は１つの結合器において結合されるが、チャンネル要素は連続して確立することもできる。この場合には、各チャンネル要素からの信号を、以前のチャンネル要素からの信号と連続して結合する。
【００３２】
更に、この例示的実施形態においては、結合ベースバンド信号はスケーリングされているが、代替的実施形態においては、個々の信号をスケーリングできる。例えば、スケーリング・ファクタはやはり結合ベースバンド信号を使用して得る。しかし、乗算器２９０および３５０においてスケーリング・ファクタによって結合ベースバンド信号を乗算する代わりに、個々の信号をスケーリング・ファクタによってスケーリングできる場合には、スケーリング・ファクタを制御要素２１０および２２０に提供することもできる。
【００３３】
また、この例示的実施形態においては、無線通信システムはＣＤＭＡシステムであるが、これは本発明をＣＤＭＡ技術を採用する基地局および移動局に限定するものと解釈すべきではない。本発明は、時間分割多重アクセス（「ＴＤＭＡ」）および移動体向けグローバル・システム（Global System for Mobile）（ＧＳＭ）など、他の多重アクセス技術を採用する基地局および移動局に等しく適用してもよい。
【００３４】
本発明を好適な実施形態を参照して説明してきたが、本明細書および図面を参照すれば、本発明の趣旨および範囲から逸脱することなく、様々な修正および変更が可能であることを当業者は理解されるであろう。
【図面の簡単な説明】
【図１】従来の基地局の部分のブロック図である。
【図２】順方向リンク信号の出力レベルは、パイロット比によって決定されるように、順方向リンクの負荷に呼応して調節される、基地局の部分のブロック図である。
【符号の説明】
２、４、６  セル
１０  ＣＤＭＡシステム（無線通信システム）
１２、１４、１６  基地局
１８  移動交換センター（「ＭＳＣ」）
２０  通信ネットワーク
２２、２４  移動端末
２１０、２２０  チャンネル要素  （制御要素）
２３０  結合器
２４０  サンプル自乗積分回路
２５０  サンプル自乗積分回路
２６０  第１の平均化要素
２７０  コントローラ
２８０  メモリ
２９０  乗算器
３００  変調器
３１０  増幅器
３２０  アンテナ
【図１】
0003960743.tif 000004
【図２】
0003960743.tif 000005